(57)【要約】【課題】  道路の中央と反対側の向こう側に曲って倒れかけた道路標識を引起して修復することが出来、分解、組立てが容易で、持ち運びに便利な道路標識起こし機の提供。【解決手段】  路面に接するポールＰの基部を支点とする基台１を設け、基台１に縦方向連結棒２を基台１の長手方向軸心に直交する支軸３の周りに回動して傾斜自在に軸支し、ポール把持部Ｃを有する水平方向連結棒４を設け、基台１のポールＰの基部近傍に基点となる支軸５を有する流体シリンダ６を斜行伸縮自在に具備し、流体シリンダ６のロッド６ａ先端に二つの支軸７、８を介して接続する頭部接続部材９を被装し、ポールＰの基部を挟掴した基台に前記ポールを挟んで二つの棒状固定部材を挿脱可能に設け、基台１の上面且つポール基部両側に円弧状ガイド部材１２を対向して固設し、摺動自在の基台浮上防止用部材１３ポールＰに固定可能に設けて成ることを特徴とする。【選択図】        図１
2005146534.tif 000002
【特許請求の範囲】
【請求項１】
向こう側に曲った道路標識のポールを手前側に引起して修正する道路標識起こし機であって、路面に接する前記ポールの基部を支点として路面に平行となる基台を設け、該基台は二つの細長部材を平面的に見て平行に配し、前記ポールの基部を挟掴して手前側に長く向こう側に短目に伸長して設け、前記基台の手前側所定距離隔離した位置に縦方向連結棒を基台の長手方向軸心に直交する支軸の周りに回動して傾斜自在に軸支し、端部に揺動自在のポール把持部を有する水平方向連結棒を設け、前記基台のポールの基部近傍に基点となる支軸を有する流体シリンダを斜行伸縮自在に具備し、該流体シリンダのロッド先端に前記縦方向連結棒と前記水平方向連結棒を夫々支軸を介して接続する頭部接続部材を被装し、前記ポールの基部を挟掴した基台に前記ポールを挟んで二つの棒状固定部材を挿脱可能に設け、前記基台上面且つ前記ポール基部両側に上面が円弧状曲面を有する円弧状ガイド部材を対向して固設し、前記円弧状曲面に係合する面を下面とする摺動自在の基台浮上防止用部材を前記ポールに固定可能に設けて成ることを特徴とする道路標識起こし機。
【請求項２】
向こう側に曲った道路標識のポールを手前側に引起して修正する道路標識起こし機であって、路面に接する前記ポールの基部を支点として路面に平行となる基台を設け、該基台は前記ポールを挟掴可能且つポールに固定するための棒状固定部材を添設した短い凹処部を有し、手前側に流体シリンダを横設可能な軸方向に長い凹処部を設け、横設した前記流体シリンダのロッド先端部にスライドガイドピン及び支軸を有するロッド先端部材を備え、前記スライドガイドピンと係合する切欠き長孔ガイドを前記基台の長い凹処部を形成する両側の板状体に穿設し、前記ロッド先端部材の支軸を介して回動自在に連結棒を斜めに接続し、該連結棒の他端にポール把持部を揺動自在に支軸を介して連接し、前記ポールの基部を挟掴した基台に前記ポールを押え込むように前記棒状固定部材を挿脱可能に設け、前記基台上面且つ前記ポールの基部両側に上面が円弧状曲面を有する円弧状ガイド部材を対向して固設し、前記円弧状曲面に係合する面を下面とする摺動自在の基台浮上防止用部材を前記ポールに固定可能に設けて成ることを特徴とする道路標識起こし機。
【請求項３】
向こう側に曲った道路標識のポールを手前側に引起して修正する道路標識起こし機であって、路面に接する前記ポールの基部を支点として路面に平行となる基台を設け、該基台は前記ポールを挟掴可能且つポールに固定するための棒状固定部材を添設した短い凹処部を有し、この短い凹処部は平面で見てＵ字状を呈し、路面に接する前記ポールの基部に前記Ｕ字状の短い凹処部をあてがうようにして挟掴固定し、前記平面Ｕ字状の基台底部に手前側に伸長するように流体シリンダを横設し、該流体シリンダのロッド先端部に支軸を有するロッド先端部材を備え、該ロッド先端部材の支軸を介して回動自在に連結棒を斜めに接続し、該連結棒の他端にポール把持部を揺動自在に支軸を介して連接し、前記ポールの基部を挟掴した基台に前記ポールを押え込むように前記棒状固定部材を挿脱可能に設け、前記基台上面且つ前記ポールの基部両側に上面が円弧状曲面を有する円弧状ガイド部材を対向して固設し、前記円弧状曲面に係合する面を下面とする摺動自在の基台浮上防止用部材を前記ポールに固定可能に設けて成ることを特徴とする道路標識起こし機。
【請求項４】
前記ポールの向こう側に位置する基台の底面部に道路標識起こし操作時に路面に対し反力受けとなる反力受け部材を設けたことを特徴とする請求項１乃至３何れか記載の道路標識起こし機。
【発明の詳細な説明】
【技術分野】
【０００１】
本発明は、道路標識起こし機に関する。
【背景技術】
【０００２】
道路上には、危険防止、交通安全、交通の円滑化、規制または指示の表示をするための道路標識が設けられているのが通例である。
【０００３】
車両や、人の交通の邪魔にならないように設けられているのが普通であるが、いろいろな事情で車両等が、この道路標識に接触したり、衝突したりするため、破損までに至らなくても、標識柱となるポールが曲ってしまい、正常な状態から逸脱することが、しばしば発見される。
【０００４】
ポールが曲って倒れかけた道路標識は真っ直ぐに修正すれば、ほぼ元通りに復元できる場合が多く、修復作業が要望される。
【０００５】
然しながら曲って倒れかけた道路標識を元通りに修復するためには、それなりの修復のための装置が必要である。
【０００６】
従来の技術としては、本出願人による、手前側から向こう側へ押し戻して修復する道路標識起こし機が考案、開示されている（例えば、特許文献１参照。）。
【特許文献１】実開昭６４−４２３１４号公報
【発明の開示】
【発明が解決しようとする課題】
【０００７】
上述の従来技術は、手前側に曲って倒れかけた道路標識を向こう側に押し戻して修復する所謂押し戻し専用の道路標識起こし機であり、修復するために使用する装置が設置するスペースがとれない道路端、塀側など敷地の境界近傍に設置され、道路中央から反対側に向って曲った道路標識は、設置スペースがとれる道路中央側に装置を設置して引起すようにしなければ、修復することは出来ない。
【０００８】
本発明は、上述の事情に鑑みて成されたもので、流体シリンダと連結棒を回動自在の支軸を介して組み合わせ、道路の中央と反対側の装置が置けない狭いスペースの向こう側に曲って倒れかけた道路標識を引起して修復することが出来、分解、組立てが容易で、持ち運びに便利な道路標識起こし機を提供することを目的とする。
【課題を解決するための手段】
【０００９】
本発明は、下記構成を備えることにより上記課題を解決できるものである。
【００１０】
（１）向こう側に曲った道路標識のポールを手前側に引起して修正する道路標識起こし機であって、路面に接する前記ポールの基部を支点として路面に平行となる基台を設け、該基台は二つの細長部材を平面的に見て平行に配し、前記ポールの基部を挟掴して手前側に長く向こう側に短目に伸長して設け、前記基台の手前側所定距離隔離した位置に縦方向連結棒を基台の長手方向軸心に直交する支軸の周りに回動して傾斜自在に軸支し、端部に揺動自在のポール把持部を有する水平方向連結棒を設け、前記基台のポールの基部近傍に基点となる支軸を有する流体シリンダを斜行伸縮自在に具備し、該流体シリンダのロッド先端に前記縦方向連結棒と前記水平方向連結棒を夫々支軸を介して接続する頭部接続部材を被装し、前記ポールの基部を挟掴した基台に前記ポールを挟んで二つの棒状固定部材を挿脱可能に設け、前記基台上面且つ前記ポール基部両側に上面が円弧状曲面を有する円弧状ガイド部材を対向して固設し、前記円弧状曲面に係合する面を下面とする摺動自在の基台浮上防止用部材を前記ポールに固定可能に設けて成る道路標識起こし機。
【００１１】
（２）向こう側に曲った道路標識のポールを手前側に引起して修正する道路標識起こし機であって、路面に接する前記ポールの基部を支点として路面に平行となる基台を設け、該基台は前記ポールを挟掴可能且つポールに固定するための棒状固定部材を添設した短い凹処部を有し、手前側に流体シリンダを横設可能な軸方向に長い凹処部を設け、横設した前記流体シリンダのロッド先端部にスライドガイドピン及び支軸を有するロッド先端部材を備え、前記スライドガイドピンと係合する切欠き長孔ガイドを前記基台の長い凹処部を形成する両側の板状体に穿設し、前記ロッド先端部材の支軸を介して回動自在に連結棒を斜めに接続し、該連結棒の他端にポール把持部を揺動自在に支軸を介して連接し、前記ポールの基部を挟掴した基台に前記ポールを押え込むように前記棒状固定部材を挿脱可能に設け、前記基台上面且つ前記ポールの基部両側に上面が円弧状曲面を有する円弧状ガイド部材を対向して固設し、前記円弧状曲面に係合する面を下面とする摺動自在の基台浮上防止用部材を前記ポールに固定可能に設けて成る道路標識起こし機。
【００１２】
（３）向こう側に曲った道路標識のポールを手前側に引起して修正する道路標識起こし機であって、路面に接する前記ポールの基部を支点として路面に平行となる基台を設け、該基台は前記ポールを挟掴可能且つポールに固定するための棒状固定部材を添設した短い凹処部を有し、この短い凹処部は平面で見てＵ字状を呈し、路面に接する前記ポールの基部に前記Ｕ字状の短い凹処部をあてがうようにして挟掴固定し、前記平面Ｕ字状の基台底部に手前側に伸長するように流体シリンダを横設し、該流体シリンダのロッド先端部に支軸を有するロッド先端部材を備え、該ロッド先端部材の支軸を介して回動自在に連結棒を斜めに接続し、該連結棒の他端にポール把持部を揺動自在に支軸を介して連接し、前記ポールの基部を挟掴した基台に前記ポールを押え込むように前記棒状固定部材を挿脱可能に設け、前記基台上面且つ前記ポールの基部両側に上面が円弧状曲面を有する円弧状ガイド部材を固設し、前記円弧状曲面に係合する面を下面とする摺動自在の基台浮上防止用部材を前記ポールに固定可能に設けて成る道路標識起こし機。
【００１３】
（４）前記ポールの向こう側に位置する基台の底面部に道路標識起こし操作時に路面に対し反力受けとなる反力受け部材を設けた前項（１）乃至（３）何れか記載の道路標識起こし機。
【発明の効果】
【００１４】
本発明は、流体シリンダと連結棒を回動自在の支軸を介して適宜組み合わせることで、道路の中央と反対側の装置が置けない狭いスペースの向こう側に曲って倒れかけた道路標識を引起して修復することが出来、更に分解、組立てが容易、且つ運搬し易い機動性の優れた道路標識起こし機を提供することが出来る。
【発明を実施するための最良の形態】
【００１５】
以下、本発明に係る道路標識起こし機の実施の形態を説明する。
【００１６】
図１は、実施例１における道路標識起こし機の説明図、（ａ）は外観斜視図、（ｂ）は曲って倒れかけた道路標識のポールに取付けた状態を示す立面図、図２は、実施例１における道路標識起こし機の作用説明図、（ａ）は修復前の取付け状況を示す立面図、（ｂ）は修復後の状態を示す立面図、図３は、実施例２における道路標識起こし機の説明図、（ａ）は外観斜視図、（ｂ）は修復前の取付け状況を示す立面図、（ｃ）は修復後の状態を示す立面図、図４は、実施例３における道路標識起こし機の説明図、（ａ）は外観斜視図、（ｂ）は修復前の取付け状況を示す立面図、（ｃ）は修復後の状態を示す立面図、図５は、本発明に係る道路標識起こし機の基台の基点近傍の拡大図、図６は、本発明に係る道路標識起こし機の基台の基点近傍の拡大斜視図、図７は、基台浮上防止用部材を示す図、（ａ）は斜視図、（ｂ）は側面形状を示す図である。
【実施例１】
【００１７】
例えば、道路の端に立てられた道路標識で、装置等が置けない（セットできない）狭いスペースの道路中央から見て向こう側に曲った道路標識のポールＰを手前側に引起して修正する道路標識起こし機であって、路面に接する前記ポールＰの基部を支点として路面に平行となる基台１を設け、該基台１は二つの細長部材１ａ、１ｂを平面的に見て平行に配し、前記ポールＰの基部を挟掴して手前側に長く向こう側に短目に伸長して設け、前記基台１の手前側所定距離隔離した位置に縦方向連結棒２を基台１の長手方向軸心に直交する支軸３の周りに回動して傾斜自在に軸支し、端部に揺動自在のポール把持部Ｃを有する水平方向連結棒４を設け、前記基台１のポールＰの基部近傍に基点となる支軸５を有する流体シリンダ６を斜行伸縮自在に具備し、該流体シリンダ６のロッド６ａ先端に前記縦方向連結棒２と前記水平方向連結棒４を夫々支軸７、８を介して接続する頭部接続部材９を被装し、前記ポールＰの基部を挟掴した基台１に前記ポールＰを挟んで二つの棒状固定部材１１、１１を挿脱可能に設け、前記基台１上面且つ前記ポールＰ基部両側に上面が円弧状曲面を有する円弧状ガイド部材１２、１２を対向して固設し、前記円弧状曲面に係合する面１３ｃ（図５、図７（ａ）、（ｂ）参照）を下面とする摺動自在の基台浮上防止用部材１３を前記ポールＰに固定可能に設けた構成としてある。
【００１８】
他の符号について、１０は水平方向連結棒４の端部に設けた支軸であり、この支軸１０を介してポール把持部Ｃが揺動自在に連接され、このポール把持部ＣをポールＰに確固に固定するためのハンドル部Ｃ−１を有している。
【００１９】
６ｂは流体が空気または油等の駆動部との接続部であり、６ｃは駆動流体用のフレキシブルホース等の配管部材である。
【００２０】
１３ａ、１３ｂはボルト等の締結部材であり、基台浮上防止用部材１３をポールＰにしっかりと固定するための部材である。
【００２１】
ポールＰの倒れ角度θは、例えば２０°〜３０°程度を示したものである。
【００２２】
１４は、縦方向連結棒２の基台１上の支軸の調整用の予備孔である。
【００２３】
上述の構成及び図面に基づいて作用を説明する。
【００２４】
以下、図２（ａ）において、角度θ曲げられ傾いた道路標識のポールＰに対し、先ず、平面的に見て平行に配された基台１の二つの細長部材１ａ、１ｂを道路中央側の設置スペースのとれる側から基台１の基部を挟掴するようにセットし、二つの棒状固定部材１１、１１を所定の孔に挿入して挟装し、二つの細長部材１ａ、１ｂにポールＰを挟んで対向設置された円弧状ガイド部材１２、１２の円弧状曲面に係合して摺動自在となる基台浮上防止用部材１３をボルト等の締結部材１３ａ、１３ｂでポールＰにしっかりと固定する。次いで流体シリンダ６のロッド６ａ先端に被装された頭部接続部材９に設けられ、支軸７、８を介して接続された縦方向連結棒２と水平方向連結棒４を予め組立てておき、流体シリンダ６の基部を回動自在に基台１に支軸５を挿通して取付け、縦方向連結棒２の支軸３を基台１の所定孔に挿通して取付け、水平方向連結棒４の端部に支軸１０を介して連接されたポール把持部Ｃをハンドル部Ｃ−１でポールＰに確固に固定する。そして流体シリンダ６に接続部６ｂ及びフレキシブルホース等の配管部材６ｃを介して空気または油等の流体をオイルジャッキまたはエアジャッキ等の駆動装置Ｊの駆動操作により流体を流体シリンダ６に送ってロッド６ａが伸長し、ロッド６ａの先端に被装された頭部接続部材９が先端方向に移動することによって、図２（ｂ）に示すように、ポールＰは元の位置に修復され、復元作業が終了する。作業終了後は、セットした時と逆の動作で装置を分解し取り外すこととなる。
【実施例２】
【００２５】
実施例２は、基台の形状、構成を実施例１とは異にし、図３（ａ）、（ｂ）、（ｃ）に示すように、ガイドに沿って水平に伸縮する流体シリンダと斜めの連結棒との組合せで構成した実施例である。
【００２６】
環境条件等は、実施例１の場合と同様であるので省略する。
【００２７】
路面に接するポールＰの基部を支点として路面に平行となる基台１０１を設け、該基台１０１は前記ポールＰを挟掴可能且つポールＰに固定するための棒状固定部材１１を添設した短い凹処部１０１ａを有し、手前側に流体シリンダ６を横設可能な軸方向に長い凹処部１０１ｂを設け、横設した流体シリンダ６のロッド６ａ先端部にスライドガイドピン１１０及び支軸１２０を有するロッド先端部材１３０を備え、スライドガイドピン１１０と係合する切欠き長孔ガイド１０１ｃを基台１０１の長い凹処部１０１ｂを形成する両側の板状体１０５に穿設し、ロッド６ａ先端部材１３０の支軸１２０を介して回動自在に連結棒１４０を斜めに接続し、該連結棒１４０の他端にポール把持部Ｃを揺動自在に支軸１０を介して連接し、ポールＰの基部を挟掴した基台１０１に前記ポールＰを押え込むように棒状固定部材１１を挿脱可能に設け、基台１０１上面且つ前記ポールＰの基部両側に上面が円弧状曲面を有する円弧状ガイド部材１２、１２を対向して固設し、前記円弧状曲面に係合する面１３ｃを下面とする摺動自在の基台浮上防止用部材１３をポールＰに固定可能に設けた構成としてある。
【００２８】
上述の構成及び図面に基づいて作用を説明する。
【００２９】
図３（ａ）において、基台浮上防止用部材１３と棒状固定部材１１を外しておき、その他の部材は全て組立てた状態で、該当するポールＰに基台１０１の短い凹処部１０１ａを当接するようにあてがい、挟掴するようにセットし、棒状固定部材１１を基台１０１に挿設して固定し、連結棒１４０の端部に連接したポール把持部ＣをハンドルＣ−１を用いてポールＰに固定し、次いで流体シリンダ６のロッド６ａを伸長して同時に先端部材１３０がスライドガイドピン１１０と共に切欠き長孔ガイド１０１ｃに沿ってスライドし、図３（ｂ）、（ｃ）に示すようにポールＰの傾いた角度θが矯正されて垂直になるまで操作を続けて元の立設状態に復元し、作業完了後は基台浮上防止用部材１３を除去し、次いで棒状固定部材１１を抜き取り、ポール把持部Ｃを外すことで、簡単に装置をポールＰから取り外すことが出来る。
【実施例３】
【００３０】
実施例３は、基台の形状、構成を実施例１とは異にし、また実施例２とはやや構成を異にし、図４（ａ）、（ｂ）、（ｃ）に示すように、流体シリンダを基台に直結し、ガイドを外し、最も簡易な構造とした場合の実施例である。
【００３１】
環境条件等は、実施例１の場合と同様であるので省略する。
【００３２】
路面に接する前記ポールの基部を支点として路面に平行となる基台２０１を設け、基台２０１はポールＰを挟掴可能且つポールＰに固定するための棒状固定部材１１を添設した短い凹処部２０１ａを有し、路面に接するポールＰの基部に平面Ｕ字状の基台のＵ字を形成する短い凹処部２０１ａをあてがうようにして挟掴固定し、前記平面Ｕ字状の基台底部に手前側に伸長するように流体シリンダ６を横設し、該流体シリンダ６のロッド６ａ先端部に支軸２２０を有するロッド先端部材２３０を備え、該ロッド先端部材２３０の支軸２２０を介して回動自在に連結棒２４０を斜めに接続し、該連結棒２４０の他端にポール把持部Ｃを揺動自在に支軸を介して連接し、ポールＰの基部を挟掴した基台２０１にポールＰを押え込むように棒状固定部材１１を挿脱可能に設け、基台２０１上面且つポールＰの基部両側に上面が円弧状曲面を有する円弧状ガイド部材１２を固設し、前記円弧状曲面に係合する面１３ｃを下面とする摺動自在の基台浮上防止用部材１３をポールＰに固定可能に設けた構成としてある。
【００３３】
実施例３の作用については、流体シリンダのロッドが伸縮する際のガイド孔が無い部分が異なる以外は、前述の実施例２の場合と同様なので説明は省略する。
【００３４】
以上の三つの実施例において、路面の硬さ等の条件から判断し、必要に応じてポールＰの向こう側に位置する基台の底面部（図中ｘで示した範囲）に道路標識起こし操作時に路面に対し反力受けとなる反力受け部材Ｂｘ（図１（ａ）、（ｂ）参照）を設けても良い。
【００３５】
更に説明を付け加えれば、流体シリンダ６のロッド６ａ先端に被装する頭部接続部材９には、実施例では縦方向連結棒２と水平方向連結棒４の支軸７と８をそれぞれ別個に設けたが、頭部接続部材９の支軸７と８を合体して１個にし、共有の支軸とすることも出来る。
【００３６】
また、基台浮上防止用部材１３の下面１３ｃを円弧状曲面に係合する面とせず平面とし、円弧状ガイド部材１２の曲面と平面で見て点接触（基台浮上防止用部材１３の厚み寸法分、線接触）で摺動自在の構成としても良い。
【００３７】
尚また、装置自体が棒状体エレメントを主体としたリンク機構で構成されているため、分解し易く、構成要素の形状が棒状体であるため束ね易く、持ち運び運搬に便利であり、機動性の優れた装置である。
【産業上の利用可能性】
【００３８】
流体シリンダと連結棒を回動自在の支軸を介して適宜組み合わせることで、道路の中央と反対側の装置が置けない狭いスペースの向こう側に曲って倒れかけた道路標識を引起して修復することが出来、更に分解、組立てが容易、且つ運搬し易い機動性の優れた道路標識起こし機を提供することが出来る。
【図面の簡単な説明】
【００３９】
【図１】実施例１における道路標識起こし機の説明図、（ａ）外観斜視図、（ｂ）曲って倒れかけた道路標識のポールに取付けた状態を示す立面図
【図２】実施例１における道路標識起こし機の作用説明図、（ａ）修復前の取付け状況を示す立面図、（ｂ）修復後の状態を示す立面図
【図３】実施例２における道路標識起こし機の説明図、（ａ）外観斜視図、（ｂ）修復前の取付け状況を示す立面図、（ｃ）修復後の状態を示す立面図
【図４】実施例３における道路標識起こし機の説明図、（ａ）外観斜視図、（ｂ）修復前の取付け状況を示す立面図、（ｃ）修復後の状態を示す立面図
【図５】本発明に係る道路標識起こし機の基台の基点近傍の拡大図
【図６】本発明に係る道路標識起こし機の基台の基点近傍の拡大斜視図
【図７】基台浮上防止用部材を示す図、（ａ）斜視図、（ｂ）側面形状を示す図
【符号の説明】
【００４０】
１、１０１、２０１  基台
１ａ、１ｂ  細長部材
２  縦方向連結棒
３  支軸
４  水平方向連結棒
５、７、８、１０  支軸
６  流体シリンダ
６ａ  ロッド
９  頭部接続部材
１１  棒状固定部材
１２  円弧状ガイド部材
１３  基台浮上防止用部材
１３ａ、１３ｂ  締結部材
１４  調整用の予備孔
Ｃ  ポール把持部
Ｃ−１  ハンドル部
Ｊ  駆動装置
Ｐ  ポール
【図１】
2005146534.tif 000003
【図２】
2005146534.tif 000004
【図３】
2005146534.tif 000005
【図４】
2005146534.tif 000006
【図５】
2005146534.tif 000007
【図６】
2005146534.tif 000008
【図７】
2005146534.tif 000009